(57)【要約】【課題】  簡単な構成の立体視用めがねを一体に有するシート状或いは袋状の立体視用めがね付き情報伝達用媒体を提供することを目的とする。【解決手段】  媒体としてのハガキは、透光性シート１０の表面に宛先表示部２０及びめがね状印刷層３０を補色関係の透明印刷材料印刷により一体に設けて構成されている。ここで、印刷層３０は、シート１０の印刷層３０に対する対応部と共に立体視用めがねを構成する。【選択図】    図１
2006047923.tif 000002
【特許請求の範囲】
【請求項１】
透光性シート材を所定形状に切断して形成してなる透光性シートと、このシートの所定部位に設けられる情報伝達用表示部とを備 えてなる情報伝達用媒体であって、
前記シートのうち前記所定部位以外の部位において互いに補色関係にある透光性両印刷材でもってめがね形状に印刷されてなる印刷層を設けてなり、
この印刷層は、前記シートのうち前記印刷層に対する対応部と共に、立体視用めがねを構成するようにした立体視用めがね付き情報伝達用媒体。
【請求項２】
透光性シート材を所定形状に切断して形成してなる透光性袋と、このこの袋の表面の所定部位に設けられる情報伝達用表示部とを備 えてなる情報伝達用媒体であって、
前記袋の表面のうち前記所定部位以外の部位において互いに補色関係にある透光性両印刷材でもってめがね形状に印刷されてなる印刷層を設けてなり、
この印刷層は、前記袋の表面のうち前記印刷層に対する対応部と共に、立体めがねを構成するようにした立体視用めがね付き情報伝達用媒体。
【発明の詳細な説明】
【技術分野】
【０００１】
本発明は、ハガキ、カードや封筒等のシート状或いは袋状の情報伝達用媒体に係り、特に、立体視用めがね付き情報伝達用媒体に関するものである。
【背景技術】
【０００２】
近年、例えば、多種多様のダイレクトメールがビジネス界において氾濫している。従って、受け取り人が興味や関心をもたなければ、ダイレクトメールは、そのまま、放置されたり、捨てられたりすることが多い。
【０００３】
このため、ダイレクトメールを発送するにあたり、ダイレクトメールの内容が見てもらえるように、種々の工夫がなされている。
【０００４】
例えば、受取人が是非とも見たくなるような情報を、特定の手段によらなければ見られないように、ダイレクトメールに与えておく。さらに、当該情報は、上記特定の手段によらなければ、見られない旨を、上記ダイレクトメールのうちの受け取り人にとって見易い部位に、分かり易く、記載しておくことが考えられる。
【０００５】
これに対し、上記特定の手段としては、下記特許文献１に開示された光透光性印刷物及びビュワーを用いることが考えられる。この場合、上述した受取人の見たくなる情報を光透光性印刷物に印刷して上記ダイレクトメールに添付することとなる。また、光透光性印刷物の印刷内容は、ビュワーでもって見ることになる。
【特許文献１】特開２００１−１２５０４１号公報
【発明の開示】
【発明が解決しようとする課題】
【０００６】
しかしながら、上述のように、受取人の見たくなる情報を光透光性印刷物に印刷して上記ダイレクトメールに添付するとしても、当該光透光性印刷物を専用の印刷物として準備しなければならず、また、この光透光性印刷物の構成が複雑でコスト高を招く。しかも、当該光透光性印刷物の印刷内容を見るには、専用のビュワーが必須となり不便である。
【０００７】
そこで、本発明は、以上のようなことに対処するため、簡単な構成の立体視用めがねを一体に有するシート状或いは袋状の立体視用めがね付き情報伝達用媒体を提供することを目的とする。
【課題を解決するための手段】
【０００８】
上記課題の解決にあたり、本発明に係る立体視用めがね付き情報伝達用媒体は、請求項１の記載によれば、
透光性シート材を所定形状に切断して形成してなる透光性シート（１０）と、このシートの所定部位に設けられる情報伝達用表示部（２０）とを備 えてなる情報伝達用媒体であって、
シートのうち上記所定部位以外の部位において互いに補色関係にある透光性両印刷材でもってめがね形状に印刷されてなる印刷層（３０）を設けてなり、
この印刷層は、シートのうち印刷層に対する対応部と共に、立体視用めがねを構成する。
【０００９】
このように、透光性シートに印刷層を用いて上記立体視用めがねを一体に形成するようにしたので、情報伝達用媒体が透光性シートに上記立体視用めがねを簡易な構成でもって一体に備えた媒体として簡単に作製され得る。
【００１０】
これにより、当該媒体を、ハガキ、カード、チケット等として利用するにあたり、当該媒体に、上記立体視用めがねでしかみることができない情報を印刷するとともに、当該媒体の表面に受け取り人にとって見たくなる情報が記載されており、かつ、この情報は上記立体視用めがねでしか見られないことを当該媒体の表面に見易く表示しておけば、当該媒体を受け取った人は、当該媒体を捨てることなく、当該媒体から分離した上記立体視用めがねでもって関心をもって上記情報を見る。従って、当該媒体をビジネス上有効に生かすことができる。
【００１１】
また、本発明に係る立体視用めがね付き情報伝達用媒体は、請求項２の記載によれば、
透光性シート材を所定形状に切断して形成してなる透光性袋（２００、２２０）と、このこの袋の表面の所定部位に設けられる情報伝達用表示部（２３０）とを備えてなる情報伝達用媒体であって、
袋の表面のうち上記所定部位以外の部位において互いに補色関係にある透光性両印刷材でもってめがね形状に印刷されてなる印刷層（２４０）を設けてなり、
この印刷層は、袋の表面のうち印刷層に対する対応部と共に、立体めがねを構成する。
【００１２】
このように、透光性袋に印刷層を用いて上記立体視用めがねを一体に形成するようにしたので、情報伝達用媒体が透光性袋に上記立体視用めがねを簡易な構成でもって一体に備えた媒体として簡単に作製され得る。
【００１３】
このように作製した透光性袋を、例えばダイレクトメール用封筒として利用するにあたり、当該封筒に、上記立体視用めがねでしかみることができない情報を記載した書面等を同封するとともに、当該封筒の表面に受け取り人にとって見たくなる情報が同封されており、かつ、この情報は上記立体視用めがねでしか見られないことを封筒の表面に見易く表示しておけば、当該封筒を受け取った人は、当該ダイレクトメールを捨てることなく、関心をもってこのダイレクトメールを開封し上記立体視用めがねでもって上記情報を見る。従って、ダイレクトメールの開封率を高めることができ、その結果、ビジネス上の有効利用の向上につながる。
【００１４】
なお、上記各手段の括弧内の符号は、後述する実施形態に記載の具体的手段との対応関係を示すものである。
【発明を実施するための最良の形態】
【００１５】
以下、本発明の各実施形態を図面により説明する。
（第１実施形態）
図１は、本発明に係る情報伝達用媒体の第１実施形態を示しており、この情報伝達用媒体は、所謂、ハガキとして用いられる。当該媒体、即ち、ハガキは、透光性シート１０を備えており、このシート１０は、透光性シート材を所定の四角形状に切断して形成されている。本第１実施形態において、上記透光性シート材としては、透明のプラスチック樹脂シート材、透明のセロファンや透明の紙等が挙げられる。
【００１６】
また、当該ハガキは、宛先表示部２０及びめがね状印刷層３０を備えており、宛先表示部２０は、図１にて示すごとく、シート１０の表面１１のうち図示上側半分上に形成されれている。当該宛先表示部２０は、長四角形状の枠２１と、この枠２１内に表す「住所氏名」という文字とを、表面１１のうち図示上側半分上に印刷でもって形成されている。
【００１７】
従って、宛先表示部２０は、当該ハガキの送付先の住所及び氏名を記載するための欄としての役割を果たす。また、シート１０の裏面は、当該ハガキの送付先に対し伝達すべき特定の伝達情報を記載する欄としての役割を果たす。
【００１８】
めがね状印刷層３０は、図１にて示すごとく、シート１０の表面１１のうち図示下側半分上に、印刷により形成されている。当該印刷層３０は、左側印刷部３１及び右側印刷部３２を備えており、これら左右両側印刷部３１、３２は、シート１０の表面１１の上記下側半分上において、図１にて示すごとく、人の左右両眼に対応するように、図示左右に所定間隔をおいて並べて四角形状に印刷されている。本第１実施形態では、左側印刷部３１は赤色の透光性印刷材でもって印刷されるとともに、右側印刷部３２は、緑色の透光性印刷材でもって印刷されている。
【００１９】
しかして、このように構成した印刷層３０によれば、上述した赤色及び緑色が互いに補色関係にあることから、左右両側印刷部３１、３２が、当該ハガキの左右両側印刷部３１、３２に対する対応部と共に、立体視用めがねを構成する。
【００２０】
また、本第１実施形態では、シート１０の表面１１において、ミシン目１１ａが、図１にて示すごとく、宛名表示部２０と印刷層３０とを相互に分離可能に形成されている。
【００２１】
このように構成した本第１実施形態においては、上述のように、透光性シート１０の表面１１に印刷層３０を直接印刷するので、当該ハガキが、透光性シート１０に上記立体視用めがねを簡易な構成でもって一体に備えたハガキとして、低コストにて、簡単に作製され得る。
【００２２】
また、上述のように、立体視用めがねが当該ハガキと一体となっているので、立体視用めがねを独立的に準備する必要がなく、その結果、省資源に役立つ。
【００２３】
また、当該ハガキを、例えば、ビジネス上、ダイレクトメール用ハガキとして利用するには、当該ハガキの裏面のうち宛名表示部２０に対応する部位に、特定の伝達情報を記載する。この特定の伝達情報は、上記立体視用めがねでもって立体視されない限り、誰にも目視することができないように、特定の処理でもって当該ハガキの裏面に立体視可能に印刷することで記載される。ここで、上記特定の伝達情報は、当該ハガキをダイレクトメールとして受け取った人にとり、関心或いは興味の対象であってどうしても見たくなるような情報とする。
【００２４】
また、当該ハガキの裏面のうち宛名表示部２０に対する対応部位の余白（上記特定の伝達情報の印刷部位以外の部位）には、当該ハガキを受け取った人が上記特定の伝達情報を是非とも見たくなるように、所定の事項を直接目視により一目見て分かるように記載する。この所定の事項の例としては、「当該ハガキの立体視用めがねでもってこのハガキの裏面を是非とも見て下さい。見て下されば、あなたにとって興味や関心のある素敵な情報や特典のあることが分かりますよ。」という記載が挙げられる。
【００２５】
このようにして当該ハガキを多数準備した上、これら各ハガキの宛先表示部２０には、宛先の住所及び氏名をそれぞれ記載する。このように準備した多数の当該ハガキをダイレクトメールとして郵便或いは宅配便等により各宛先に送付すれば、当該ハガキを受け取った人は、当該ハガキの裏面における上記所定の事項の内容を一目で理解し、上記特定の伝達情報を是非とも見たくなる。
【００２６】
これに伴い、当該ハガキの受け取り人は、受け取った当該ハガキの上記下側半分部分を上記上側半分部分からミシン目１１ａに沿い切り離せば、当該ハガキの印刷層３０側部分（上記立体視用めがね側部分）が当該ハガキの宛名表示部２０側部分から分離される。然る後、上記立体視用めがねを通して当該ハガキの上側半分部分をその裏側から視認すれば、当該受け取り人は、上述した特定の伝達情報を立体視し得る。
【００２７】
ここで、シート１０の形成材料が、上述のごとく、透光性シート材であるとともに、印刷層３０の印刷材料が、透光性印刷材料であるため、上記所定の伝達情報が、上記立体視めがねを通して良好に立体視され得る。
【００２８】
このようにして上記所定の伝達情報を立体視した受け取り人は、当該所定の伝達情報でもって、興味や関心のある素敵な情報や特典を容易に知ることができて便利である。また、当該所定の伝達情報を立体視するにあたり、特別に立体視用めがねを準備することなく、当該ハガキに一体に設けた立体視用めがねを利用すればよいので、便利である。
（第２実施形態）
図２は、本発明に係る情報伝達用媒体の第２実施形態を示しており、当該媒体は、上記第１実施形態とは異なり、所謂、カードとして用いられる。当該媒体、即ち、カードは、上記第１実施形態にて述べた媒体において、シート１０及び印刷層３０の他に、宛先表示部２０に代えて、情報提供部４０を有するとともに、両黒丸部３１ａ、３２ａを有する構成となっている。
【００２９】
この情報提供部４０は、当該カードの表面１１の図２にて図示上側半分上に、長四角形状の枠４１でもって区画するように、印刷でもって形成されており、当該情報提供部４０は、当該カードの渡し先に対し伝達すべき特定の伝達情報を記載する欄としての役割を果たす。
【００３０】
また、両黒丸部３１ａ、３２ａは、上記立体視用めがねをかけ易くするために、印刷層３０の左右両側に穴あけ可能に形成されている。これは、両黒丸部３１ａ、３２ａに穴あけして両輪ゴムをそれぞれかけたとき当該両輪ゴムをめがねの両つる部として利用できるようにするためである。このため、シート１０の表面１１には、「※●に輪ゴムをかけて下さい」という注意事項４２が、図２にて示すごとく、印刷されている。その他の構成は上記第１実施形態と同様である。
【００３１】
このように構成した本第２実施形態においては、上述のように、透光性シート１０の表面１１に印刷層３０を直接印刷するので、当該カードが、透光性シート１０に上記立体視用めがねを簡易な構成でもって一体に備えたカードとして、低コストにて、簡単に作製され得る。
【００３２】
また、上述のように、立体視用めがねが当該カードと一体となっているので、立体視用めがねを独立的に準備する必要がなく、その結果、省資源に役立つ。
【００３３】
また、当該カードを、例えば、ビジネスの宣伝用カードとして利用する場合、当該カードの情報提供部４０には、特定の伝達情報を記載する。この特定の伝達情報は、上記立体視用めがねでもって立体視されない限り、誰にも目視することができないように、特定の処理でもって当該カードの情報提供部４０内に立体視可能に印刷することで記載される。ここで、本第２実施形態における上記特定の伝達情報は、当該カードを受け取った人にとり、関心或いは興味の対象であってどうしても見たくなるような情報とする。
【００３４】
また、当該情報提供部４０のうち上記特定の伝達情報を記載してない部位には、当該ハガキを受け取った人が上記特定の伝達情報を是非とも見たくなるように、所定の事項を直接目視により一目見て分かるように記載する。この所定の事項の例としては、「当該カードの立体視用めがねでもってこのカードの表面１１を是非とも見て下さい。見て下されば、あなたにとって興味や関心のある素敵なビジネス上の情報や特典のあることが分かりますよ。」という記載が挙げられる。
【００３５】
このように構成した当該カードを多数準備した上、これら各カードを、例えば、街角等、催し場や展示会等の不特定の場所において行き来する人に配布すれば、当該カードを受け取った人は、当該カードの表面における上記注意事項４２の内容を一目で理解し、上記特定の伝達情報を是非とも見たくなる。
【００３６】
これに伴い、受け取り人は、受け取った当該カードの上記下側半分部分を上記上側半分部分からミシン目１１ａに沿い切り離せば、当該カードの印刷層３０側部分（上記立体視用めがね側部分）が当該カードの情報提供部４０側部分から分離される。然る後、上記立体視用めがねを通して当該カードの情報提供部４０を視認すれば、当該受け取り人は、上述した特定の伝達情報を立体視し得る。
【００３７】
ここで、両黒丸部３１ａ、３２ａを穴あけした後これら両黒丸部３１ａ、３２ａに輪ゴムをそれぞれかけた上で、受取人が両輪ゴムを両耳にかけて立体視用めがねを通して見ることで、より一層、上記特定の伝達情報を容易に立体視できる。
【００３８】
このようにして上記所定の伝達情報を立体視した受け取り人は、当該所定の伝達情報でもって、興味や関心のあるビジネス上の情報や特典を容易に知ることができて便利である。また、当該所定の伝達情報を立体視するにあたり、特別に立体視用めがねを準備することなく、当該カードに一体に設けた立体視用めがねを利用すればよいので、便利である。
（第３実施形態）
図３は、本発明に係る情報伝達用媒体の第３実施形態を示しており、当該媒体は、上記第１実施形態とは異なり、所謂、名刺として用いられる。当該媒体、即ち、名刺は、透光性シート５０を備えており、このシート５０は、上記第１実施形態にて述べた透光性シート材でもって、通常の大きさよりも、大きめの四角形状に切断して形成されている。
【００３９】
また、当該名刺は、使用者表示部６０及びめがね状印刷層７０を備えており、使用者表示部６０及び印刷層７０は、図３にて示すごとく、シート５０の表面に図示上下に印刷により形成されている。
【００４０】
ここで、使用者表示部６０は、図３にて示すごとく、使用者の氏名６１を「○○○○」とし、当該使用者の勤務先６２を「△△△（株）」として、シート５０の表面に印刷して形成されている。
【００４１】
また、めがね状印刷部７０は、左側印刷部７１及び右側印刷部７２を備えており、これら左右両側印刷部７１、７２は、図３にて示すごとく、人の左右両眼に対応するように、シート５０の表面上にて、図示左右に互いに直接隣接して四角形状に印刷されている。本第３実施形態では、左側印刷部７１は赤色の透光性印刷材でもって印刷されるとともに、右側印刷部７２は、緑色の透光性印刷材でもって印刷されている。
【００４２】
しかして、このように構成した印刷層７０によれば、上述した赤色及び緑色が互いに補色関係にあることから、左右両側印刷部７１、７２が、そのシート５０に対する対応部分と共に、立体視用めがねを構成する。
【００４３】
また、本第３実施形態では、シート５０の表面において、使用者表示部６０と印刷層７０との間の境界線６３が、当該使用者表示部６０と印刷層７０とを相互に分離可能にミシン目として形成されている。
【００４４】
このように構成した本第３実施形態においても、上述のように、透光性シート５０の表面に印刷層７０を直接印刷するので、当該名刺が、透光性シート５０に上記立体視用めがねを簡易な構成でもって一体に備えた名刺として、低コストにて、簡単に作製され得る。
【００４５】
また、上述のように、立体視用めがねが当該名刺と一体となっているので、立体視用めがねを独立的に準備する必要がなく、その結果、省資源に役立つ。
【００４６】
また、当該名刺をビジネス上利用するにあたり、当該名刺の裏面のうち使用者表示部６０に対応する部位には、特定の伝達情報を記載する。この特定の伝達情報は、上記立体視用めがねでもって立体視されない限り、誰にも目視することができないように、特定の処理でもって当該名刺の裏面に立体視可能に印刷することで記載される。ここで、上記特定の伝達情報は、当該名刺を受け取った人にとり、関心或いは興味の対象であってどうしても見たくなるような情報とする。
【００４７】
また、当該名刺の裏面のうち使用者表示部６０に対する対応部位の余白（上記特定の伝達情報の印刷部位以外の部位）には、当該名刺を受け取った人が上記特定の伝達情報を是非とも見たくなるように、所定の事項を直接目視により一目見て分かるように記載する。この所定の事項の例としては、「当該名刺の立体視用めがねでもってこの名刺の裏面を是非とも見て下さい。見て下されば、あなたにとってビジネス上有益な情報のあることが分かりますよ。」という記載が挙げられる。
【００４８】
このように構成した当該名刺を多数準備する。そしてこれら名刺を、ビジネス上で会う人に渡せば、当該名刺の受け取り人は、当該名刺の裏面における上記所定の事項の内容を一目で理解し、上記特定の伝達情報を是非とも見たくなる。
【００４９】
これに伴い、当該名刺の受け取り人は、受け取った当該名刺のうち印刷層７０に対する対応部を、当該名刺のうち使用者表示部６０に対する対応部から、ミシン目６３に沿い切り離す。然る後、印刷層７０及びこれに対するシート５０の対応部でもって構成される上記立体視用めがねを通して当該名刺の使用者表示部６０に対する対応部をその裏側から視認すれば、当該受け取った人は、上述した特定の伝達情報を立体視し得る。
【００５０】
ここで、上述したごとく、シート５０が、上記第１実施形態にて述べたシート１０と同様に透光性シート材でもって形成されており、印刷層７０が、透光性印刷材料で形成されているため、本第３実施形態においても、上記所定の伝達情報が、上記立体視めがねを通して良好に立体視され得る。
【００５１】
このようにして上記所定の伝達情報を立体視した受け取り人は、当該所定の伝達情報でもって、ビジネス上有益な情報を容易に入手することができて便利である。また、当該所定の伝達情報を立体視するにあたり、特別に立体視用めがねを準備することなく、当該名刺に一体に設けた立体視用めがねを利用すればよいので、便利である。
（第４実施形態）
図４は、本発明に係る本発明に係る情報伝達用媒体の第４実施形態を示しており、当該媒体は、上記第３実施形態の名刺とは異なり、２つ折りの名刺（以下、２つ折り名刺ともいう）として用いられる。当該媒体、即ち、２つ折り名刺は、透光性シート８０を備えており、このシート８０は、上記第１実施形態にて述べた透光性シート材でもって、所定の四角形状に切断して形成されている。
【００５２】
当該シート８０は、図４にて示すごとく、左右両側シート部８０ａ、８０ｂでもって、折り目８１を基準に２つ折り可能に構成されている。また、当該シート８０は、使用者表示部９０ａ、業務表示部９０ｂ及びめがね状印刷層１００を備えている。
【００５３】
使用者表示部９０ａは、左側シート部８０ａの表面のうち図４にて図示下側半分部分上に形成されており、当該使用者表示部９０ａは、図４にて示すごとく、使用者の氏名９１を「○○○○」とし、当該使用者の勤務先９２及び所属課９３を「△△△株式会社」及び「××一課」として、左側シート部９０ａの表面の下側半分部分に印刷して形成されている。
【００５４】
業務表示部９０ｂは、図４にて示すごとく、業務の種類９４を「●立体写真製作」「●その他企画業務」として、右側シート部８０ｂの表面の下側半分部分に印刷して形成されている。
【００５５】
また、めがね状印刷層１００は、左側印刷部１１０及び右側印刷部１２０を備えており、左側印刷部１１０は、左側シート部８０ａの上側半分部分上にて、人の左眼に対応するように、四角形状に印刷されている。一方、右側印刷部１２０は、右側シート部８０ｂの上側半分部分上にて、人の右眼に対応するように、四角形状に印刷されている。本第３実施形態では、左側印刷部１１０は赤色の透光性印刷材でもって印刷されるとともに、右側印刷部１２０は、緑色の透光性印刷材でもって印刷されている。
【００５６】
しかして、このように構成した印刷層１００によれば、上述した赤色及び緑色が互いに補色関係にあることから、左右両側印刷部１１０、１２０が、そのシート８０に対する対応部分と共に、立体視用めがねを構成する。
【００５７】
また、本第４実施形態では、シート８０の表面において、使用者表示部９０ａ及び業務表示部９０ｂと印刷層１００との間の境界線１０１（図４にて図示破線部分を含む）が、当該使用者表示部９０ａ及び業務表示部９０ｂと印刷層１００とを相互に分離可能にミシン目として形成されている。
【００５８】
このように構成した本第４実施形態においても、上述のように、透光性シート８０の表面に印刷層１００を直接印刷するので、当該２つ折り名刺が、透光性シート８０に上記立体視用めがねを簡易な構成でもって一体に備えた名刺として、低コストにて、簡単に作製され得る。
【００５９】
また、上述のように、立体視用めがねが当該２つ折り名刺と一体となっているので、立体視用めがねを独立的に準備する必要がなく、その結果、省資源に役立つ。
【００６０】
また、当該２つ折り名刺をビジネス上利用するにあたり、当該２つ折り名刺の裏面のうち使用者表示部９０ａ及び業務表示部９０ｂに対応する部位には、上記第３実施形態にて述べた特定の伝達情報を記載する。
【００６１】
また、当該２つ折り名刺の裏面のうち使用者表示部９０ａ及び業務表示部９０ｂに対する対応部位の余白（上記特定の伝達情報の印刷部位以外の部位）には、当該２つ折り名刺を受け取った人が上記特定の伝達情報を是非とも見たくなるように、上記第３実施形態にて述べた所定の事項を直接目視により一目見て分かるように記載する。
【００６２】
このように構成した当該２つ折り名刺を多数準備する。そしてこれら２つ折り名刺を、ビジネス上で会う人に渡せば、当該２つ折り名刺の受け取り人は、当該２つ折り名刺の裏面における上記所定の事項の内容を一目で理解し、上記特定の伝達情報を是非とも見たくなる。
【００６３】
これに伴い、当該２つ折り名刺の受け取り人は、受け取った当該２つ折り名刺のうち印刷層１００に対する対応部を、当該２つ折り名刺のうち使用者表示部９０ａ及び業務表示部９０ｂに対する対応部から、ミシン目１０１に沿い切り離す。然る後、印刷層１００及びこれに対するシート８００の対応部でもって構成される上記立体視用めがねを通して当該２つ折り名刺の使用者表示部９０ａ及び業務表示部９０ｂに対する対応部をその裏側から視認すれば、当該受け取った人は、上述した特定の伝達情報を立体視し得る。
【００６４】
このようにして上記所定の伝達情報を立体視した受け取り人は、当該２つ折り名刺により、当該所定の伝達情報でもって、ビジネス上有益な情報を容易に入手することができて便利である。また、当該所定の伝達情報を立体視するにあたり、特別に立体視用めがねを準備することなく、当該２つ折り名刺に一体に設けた立体視用めがねを利用すればよいので、便利である。
（第５実施形態）
図５及び図６は、本発明に係る情報伝達用媒体の第５実施形態を示しており、この情報伝達用媒体は、所謂、封筒として用いられる。当該媒体、即ち、封筒は、透光性封筒本体２００を備えており、この封筒本体２００は、図６にて示すように袋部２１０及び開閉部２２０を一体に有するように、透光性シートを所定形状に切断した後２つに折り曲げて貼り合わせて形成されている。
【００６５】
これにより、袋部２１０は、表壁部２１０ａ及び裏壁部２２１０ｂでもって袋状に構成されている。また、開閉部２２０は、袋部２１０の開口部２１１を開閉するように、表壁部２１０ａのうち開口部２１１に対する対応部から一体に折り曲げ可能に延出されている。
【００６６】
また、当該封筒は、宛先表示部２３０及び眼鏡状印刷層２４０を備えており、これら宛先表示部２３０及び眼鏡状印刷層２４０は、図５にて示すごとく、封筒本体２００の表壁部２１０ａの表面に上下に形成されている。
【００６７】
当該宛先表示部２３０は、長四角形状の枠２３１と、この枠２３１内に表す宛先の住所「＊＊＊＊＊＊＊＊」及び宛名「○○○○様」とを、表壁部２１０ａの表面上に印刷でもって形成されている。  従って、宛先表示部２３０は、当該封筒の送付先の住所及び宛名を記載するための欄としての役割を果たす。なお、図５にて符号２３２は、郵便切手を貼る箇所を示す。
【００６８】
めがね状印刷層２４０は、図１にて示すごとく、封筒本体２００の表壁部２１０ａの表面上に、印刷により形成されており、当該印刷層２４０は、左側印刷部２４１及び右側印刷部２４２を備えている。これら左右両側印刷部２４１、２４２は、表壁部２１０ａの表面上において、図５にて示すごとく、人の左右両眼に対応するように、図示左右に所定間隔をおいて並べて四角形状に印刷されている。本第５実施形態では、左側印刷部２４１は赤色の透光性印刷材でもって印刷されるとともに、右側印刷部２４２は、緑色の透光性印刷材でもって印刷されている。
【００６９】
しかして、このように構成した印刷層２４０によれば、上述した赤色及び緑色が互いに補色関係にあることから、左右両側印刷部２４１、２４２が、封筒本体２００の左右両側印刷部２４１、２４２に対する対応部（表壁部２１０ａ及び裏壁部２１０ｂの左右両側印刷部２４１、２４２に対する対応部）と共に、立体視用めがねを構成する。
【００７０】
また、本第５実施形態では、封筒本体２００の表壁部２１０ａ及び裏壁部２１０ｂにおいて、ミシン目２１２が、図５及び図６にて示すごとく、宛名表示部２３０と印刷層２４０とを相互に分離可能に形成されている。
【００７１】
このように構成した本第５実施形態においては、上述のように、透光性封筒本体２００の表壁部２１０ａ面に印刷層２４０を直接印刷するので、当該封筒が、光性封筒本体２００に上記立体視用めがねを簡易な構成でもって一体に備えた封筒として、低コストにて、簡単に作製され得る。
【００７２】
また、上述のように、立体視用めがねが当該封筒と一体となっているので、立体視用めがねを独立的に準備する必要がなく、その結果、省資源に役立つ。
【００７３】
また、当該封筒を、上記第１実施形態と同様に、ダイレクトメール用封筒として利用するには、当該封筒の封筒本体２００の表壁部２１０ａの表面に、例えば、「→→→３Ｄ付きダイレクトメール」という矢印付き文字を図５にて示すごとく印刷する。また、封筒本体２００内には、上記第１実施形態にて述べた特定の伝達情報を印刷でもって記載した書面（図示しない）を同封する。
【００７４】
また、当該封筒の表壁部１２０ａには、当該封筒を受け取った人が上記特定の伝達情報を是非とも見たくなるように、上記第１実施形態にて述べた所定の事項を直接目視により一目見て分かるように、上述した「→→→３Ｄ付きダイレクトメール」という矢印付き文字の下側に印刷により併記する。
【００７５】
このようにして当該封筒を多数準備した上、これら各封筒の宛先表示部２３０には、宛先の住所及び宛名をそれぞれ記載する。このように準備した多数の当該封筒をダイレクトメールとして郵便或いは宅配便等により各宛先に送付すれば、当該封筒を受け取った人は、当該封筒の表壁部２１０ａにおける上記所定の事項の内容を一目で理解し、上記特定の伝達情報を是非とも見たくなる。これに伴い、当該封筒の受け取り人が、受け取った封筒を積極的に開封する。これにより、ダイレクトメールの開封率を高めることができ、その結果、ビジネス上の有効利用の向上につながる。
【００７６】
上述のように開封した封筒からその同封の上記書面を取り出して、上記立体視用めがねを通して上記書面を視認すれば、当該受け取り人は、上述した特定の伝達情報を立体視し得る。なお、上記立体視用めがねは、ミシン目２１２で分離して利用してもよい。
【００７７】
ここで、封筒本体２００の形成材料が、上述のごとく、透光性シート材であるとともに、印刷層２４０の印刷材料が、透光性印刷材料であるため、上記書面の上記所定の伝達情報が、上記立体視めがねを通して良好に立体視され得る。
【００７８】
このようにして上記所定の伝達情報を立体視した受け取り人は、当該所定の伝達情報でもって、興味や関心のある素敵な情報や特典を容易に知ることができて便利である。また、当該所定の伝達情報を立体視するにあたり、特別に立体視用めがねを準備することなく、当該封筒に一体に設けた立体視用めがねを利用すればよいので、便利である。
【００７９】
なお、本発明の実施にあたり、上記各実施形態に限ることなく、以下のような種々の変形例が挙げられる。
（１）上述した補色関係にある２つの色は、赤色と緑色に限ることなく、赤色と青色或いは赤色と青緑色であってもよく、一般的には、立体視可能に組み合わせた２つの色であればよい。
（２）上述した第１或いは第２の実施形態の媒体は、ハガキ或いはカードに限ることなく、チラシ、ビラ、ラベル、フィルム、チケット、キップ、クーポン、カタログ、包装袋、カバー、帽子のつば、眼鏡ケース等に適用してもよい。
【００８０】
例えば、当該媒体が、ペットボトル等の透明容器の表面に貼り付けられるラベルやフィルムである場合には、当該ラベルやフィルムを上記透光性シート１０でもって形成する。そして、当該ラベルやフィルムに、上記第１実施形態にて述べためがね状印刷層３０を印刷する。これにより、当該ラベルやフィルムを透明容器から剥がしたり、或いは当該ラベルやフィルムを透明容器貼り付けたままにて、上記第１実施形態にて述べた作用効果が達成され得るのは勿論のこと、販促キャンペーンや話題性喚起に役立つ。
【００８１】
また、当該媒体が、キップやチケットである場合には、当該キップやチケットを上記透光性シート１０でもって形成する。そして、当該キップやチケットに、上記第１実施形態にて述べためがね状印刷層３０を印刷する。これにより、当該キップやチケットから上記立体視用めがねを切り離すか或いはそのままにすることで、当該立体視用めがねを用いて、上記第１実施形態にて述べた作用効果が達成され得るのは勿論のこと、キャンペーンや特典付与に役立つ。
【００８２】
また、当該媒体が、包装袋、例えば、菓子用包装袋である場合には、当該菓子用包装袋に上記第１実施形態にて述べためがね状印刷層３０を印刷する。これにより、当該菓子用包装袋のままの上記立体視用めがね或いは当該菓子用包装袋から上記立体視用めがねを切り離すことで、当該立体視用ねがねを用いて、上記第１実施形態にて述べた作用効果が達成され得るのは勿論のこと、様々な遊びやサービスの提供が可能となる。また、当該立体視用めがねを利用することで、菓子用包装袋に付帯するキャンペーンや特典の付与が可能となる。
【００８３】
また、当該媒体が、カバー、例えば、ノートや本の取り外し自在なカバーである場合には、当該カバーを上記第１実施形態にて述べた透明なシートで構成するとともに当該シートに上記第１実施形態にて述べためがね状印刷層３０を印刷する。これにより、当該カバーをノートや本から取り外して上記立体視用めがねとして利用することで、ノートや本の記載内容を立体視可能となる。
【００８４】
また、当該媒体が、帽子のつばである場合には、当該つばを上記第１実施形態にて述べた透明なシートで構成するとともに当該シートに上記第１実施形態にて述べためがね状印刷層３０を印刷する。これにより、例えば、当該帽子のつばを上記立体視用めがねとして利用することで、簡単に立体視可能となる。また、当該帽子が、それ自体で、展示会等でサービス品として配布し易いことを利用すれば、サービスとか特典の付与等に役立つ。
【図面の簡単な説明】
【００８５】
【図１】本発明の第１実施形態を示す正面図である。
【図２】本発明の第２実施形態を示す正面図である。
【図３】本発明の第３実施形態を示す正面図である。
【図４】本発明の第４実施形態を示す正面図である。
【図５】本発明の第５実施形態を示す正面図である。
【図６】上記第５実施形態を示す裏面図である。
【符号の説明】
【００８６】
１０…シート、２０、２３０…宛先表示部、３０、２４０…印刷層、２００…封筒、
２２０…開閉部。
【図１】
2006047923.tif 000003
【図２】
2006047923.tif 000004
【図３】
2006047923.tif 000005
【図４】
2006047923.tif 000006
【図５】
2006047923.tif 000007
【図６】
2006047923.tif 000008